(57)【要約】【課題】病室や外部の施設等へ運んで使用する場合でも、容易にセッティングをして手間をかけずに使用状態にすることができる電子内視鏡用モニタ一体型プロセッサを提供すること。【解決手段】ビデオプロセッサ２０に、プロセス回路２４から出力される映像信号により形成される画像を表示するための液晶モニタ３０を、使用ポジションと収納ポジションとの間で自在にスライドすることができるように取り付けると共に、液晶モニタ３０のスライド状態に連動して電源回路２５のオン／オフを切り換えるスイッチ手段２６を設けて、液晶モニタ３０が収納ポジションにあるときは電源回路２５が常にオフになり、液晶モニタ３０が使用ポジションにあるときは電源回路２５が常にオンになるようにした。【選択図】      図１
2004321345.tif 000002
【特許請求の範囲】
【請求項１】
電子内視鏡の固体撮像素子で撮像された観察像の撮像信号を処理するためのプロセス回路と電源回路とを内蔵するビデオプロセッサに、上記プロセス回路から出力される映像信号により形成される画像を表示するための液晶モニタを、使用ポジションと収納ポジションとの間で自在にスライドすることができるように取り付けると共に、上記液晶モニタのスライド状態に連動して上記電源回路のオン／オフを切り換えるスイッチ手段を設けて、上記液晶モニタが上記収納ポジションにあるときは上記電源回路が常にオフになり、上記液晶モニタが上記使用ポジションにあるときは上記電源回路が常にオンになるようにしたことを特徴とする電子内視鏡用モニタ一体型プロセッサ。
【請求項２】
上記液晶モニタが、上記収納ポジションでは上記ビデオプロセッサの上面に沿う状態になる請求項１記載の電子内視鏡用モニタ一体型プロセッサ。
【請求項３】
上記液晶モニタを上記収納ポジションからそのままスライドさせた後に立設状態に回動させることにより、上記液晶モニタが上記使用ポジションになる請求項１又は２記載の電子内視鏡用モニタ一体型プロセッサ。
【請求項４】
上記ビデオプロセッサから上記液晶モニタに対する信号伝送が無線により行われる請求項１、２又は３記載の電子内視鏡用モニタ一体型プロセッサ。
【発明の詳細な説明】
【０００１】
【発明の属する技術分野】
この発明は電子内視鏡用モニタ一体型プロセッサに関する。
【０００２】
【従来の技術】
観察像を撮像するための固体撮像素子を内蔵した電子内視鏡を使用する際には、固体撮像素子から出力された撮像信号をビデオプロセッサで処理して、ビデオプロセッサから出力される映像信号をモニタ装置に送り、観察画像をモニタ装置に表示するようになっている（例えば、特許文献１）。
【０００３】
【特許文献１】
特開平１−１９７７１４号
【０００４】
【発明が解決しようとする課題】
上述のような従来の装置は、何時も同じ検査室で用いられている場合には結線接続等のセッティングをしたままの状態にしておけばよい。
【０００５】
しかし、患者が入院している病室や外部の施設等へ運んで使用する場合には、運搬の度に結線接続その他のセッティングをしなければならず、使用状態にするまでの準備作業が煩雑で手間がかかる。
【０００６】
そこで本発明は、病室や外部の施設等へ運んで使用する場合でも、容易にセッティングをして手間をかけずに使用状態にすることができる電子内視鏡用モニタ一体型プロセッサを提供することを目的とする。
【０００７】
【課題を解決するための手段】
上記の目的を達成するため、本発明の電子内視鏡用モニタ一体型プロセッサは、電子内視鏡の固体撮像素子で撮像された観察像の撮像信号を処理するためのプロセス回路と電源回路とを内蔵するビデオプロセッサに、プロセス回路から出力される映像信号により形成される画像を表示するための液晶モニタを、使用ポジションと収納ポジションとの間で自在にスライドすることができるように取り付けると共に、液晶モニタのスライド状態に連動して電源回路のオン／オフを切り換えるスイッチ手段を設けて、液晶モニタが収納ポジションにあるときは電源回路が常にオフになり、液晶モニタが使用ポジションにあるときは電源回路が常にオンになるようにしたものである。
【０００８】
なお、液晶モニタが、収納ポジションではビデオプロセッサの上面に沿う状態になるようにしてもよく、液晶モニタを収納ポジションからそのままスライドさせた後に立設状態に回動させることにより、液晶モニタが使用ポジションになるようにしてもよい。
【０００９】
また、ビデオプロセッサから液晶モニタに対する信号伝送が無線により行われるようにしてもよい。
【００１０】
【発明の実施の形態】
図面を参照して本発明の実施例を説明する。
図１はシステム構成を略示しており、電子内視鏡１０の挿入部１１の先端には、内視鏡観察像を撮像するための固体撮像素子１２が内蔵されている。
【００１１】
１３は、撮像信号を処理するためのビデオプロセッサ（兼光源装置）２０に対して接続及び離脱自在に電子内視鏡１０に設けられたコネクタであり、固体撮像素子１２との間の信号伝送線の接続を行うための信号コネクタ１４と、照明用ライトガイドの入射端部を接続するためのライトガイドコネクタ１５とが並列に配置されている。
【００１２】
３０は、内視鏡観察画像表示するための液晶画面３１を有する液晶モニタであり、不使用時にはビデオプロセッサ２０の上面部に取り付けられているモニタ収納部２９内に収納されていて、モニタ収納部２９内からスライドさせて前方に引き出し、回転支軸３２を中心に回動させることにより図１に示される使用ポジションにセットされる。
【００１３】
図２はビデオプロセッサ２０と液晶モニタ３０を前面側から見た状態を示しており、ビデオプロセッサ２０にはスイッチや表示装置が配置されているフロントパネル２１と並んで、信号コネクタ１４を接続するための信号ソケット２２とライトガイドコネクタ１５を接続するためのライトガイドソケット２３が配置されている。
【００１４】
図３は、液晶モニタ３０がモニタ収納部２９内に収納された収納ポジションにある状態を示しており、モニタ収納部２９は前方が開口した薄い箱状に形成されていて、その内部に板状の液晶モニタ３０がすっぽりと収納される。
【００１５】
ビデオプロセッサ２０内には、固体撮像素子１２から送られてくる撮像信号を処理するためのプロセス回路２４と、そのプロセス回路２４や他の回路等の電源となる電源回路２５等が内蔵され、さらに、プロセス回路２４から出力される映像信号を無線で液晶モニタ３０に送信するための送信回路２７が内蔵されている。２７ａは送信用アンテナである。
【００１６】
電源回路２５への電力供給は例えば交流１００ボルトの商用電源５０へのコンセント接続によって行われ、その商用電源５０と電源回路２５との間を接／断するためのスイッチ２６がビデオプロセッサ２０の上面部分に配置されている。
【００１７】
スイッチ２６は、上方から押されることによりオフになり、押されていない状態では常にオンになるタイプのものであり、モニタ収納部２９内に収納された状態の液晶モニタ３０によって押されてオフになるように設置されている。
【００１８】
図４は、液晶モニタ３０内の回路構成を示しており、ビデオプロセッサ２０の送信回路２７から送られてくる映像信号を受信するための受信回路３３の出力端が、液晶画面（ＬＣＤ）３１を駆動するＬＣＤドライバ３４に接続されている。３３ａは受信用アンテナである。各回路の電源３５としては、液晶モニタ３０側に電池等を持つ構成になっている。
【００１９】
このように構成された装置は、図３に示されるように、液晶モニタ３０がモニタ収納部２９内に収納された収納ポジションにある状態では、スイッチ２６が液晶モニタ３０によって押されてオフになり、ビデオプロセッサ２０内の回路や液晶モニタ３０への電力供給が行われない。
【００２０】
そして、図５に示されるように、液晶モニタ３０がモニタ収納部２９から前方に引き出されると、液晶モニタ３０がスイッチ２６から離れてスイッチ２６がオンになることによりビデオプロセッサ２０内の回路への電力供給が行われ、図１に示されるように、それから液晶モニタ３０を立設させることにより液晶モニタ３０が使用ポジションになる。
【００２１】
このようにして、ビデオプロセッサ２０にスライド自在に取り付けられている液晶モニタ３０をスライドさせるだけで、結線接続等の準備作業を何ら行うことなく、ビデオプロセッサ２０と液晶モニタ３０とが使用可能な状態になる。したがって、装置を病室や外部の施設等へ運んで使用する場合でも、容易にセッティングをして手間をかけずに使用状態にすることができる。
【００２２】
なお、本発明は上記実施例に限定されるものではなく、例えばビデオプロセッサ２０から液晶モニタ３０への信号伝送を有線で行ってもよい。
【００２３】
【発明の効果】
本発明によれば、ビデオプロセッサにスライド自在に取り付けられている液晶モニタをスライドさせるだけで、結線接続等の準備作業を何ら行うことなく、ビデオプロセッサと液晶モニタとが使用可能な状態になるので、装置を病室や外部の施設等へ運んで使用する場合でも、容易にセッティングをして手間をかけずに使用状態にすることができる。
【図面の簡単な説明】
【図１】本発明の実施例の液晶モニタが使用ポジションにある状態のシステム構成を示す側面略示図である。
【図２】本発明の実施例の液晶モニタが使用ポジションにある状態の電子内視鏡用モニタ一体型プロセッサの斜視図である。
【図３】本発明の実施例の液晶モニタが収納ポジションにある状態の電子内視鏡用モニタ一体型プロセッサの側面略示図である。
【図４】本発明の実施例の液晶モニタの回路構成を示すブロック図である。
【図５】本発明の液晶モニタが収納ポジションから引き出された状態の電子内視鏡用モニタ一体型プロセッサの側面略示図である。
【符号の説明】
２０  ビデオプロセッサ
２４  プロセス回路
２５  電源回路
２６  スイッチ（スイッチ手段）
２９  モニタ収納部
３０  液晶モニタ
３１  液晶画面
３２  回転支軸
【図１】
2004321345.tif 000003
【図２】
2004321345.tif 000004
【図３】
2004321345.tif 000005
【図４】
2004321345.tif 000006
【図５】
2004321345.tif 000007